【手続補正書】
【提出日】平成16年1月30日(2004.1.30)
【手続補正１】
【補正対象書類名】明細書
【補正対象項目名】特許請求の範囲
【補正方法】変更
【補正の内容】
【特許請求の範囲】
【請求項１】
少なくとも表面層側に断面がほぼＶ字型をなす溝状化粧目地が穿設されている気泡コンクリート製パネルの表面にスプレーガンにより塗料を吹付けた後、その塗料が硬化する前にスリット状エア吹出し口を有するエアノズルから前記塗料にエアを吹付ける塗装方法において、前記スプレーガンとして互いに所定距離離して設置されかつ前記塗料を吹付ける方向が所定位置に収斂するように傾けて配置された複数個のスプレーガンを使用し、さらに前記エアノズルとしてノズル長さが前記気泡コンクリート製パネルの幅よりも長く、少なくとも１本のエア吹出し方向が前記気泡コンクリート製パネルの進行方向を向き、少なくとも他の１本のエア吹出し方向が前記気泡コンクリート製パネルの進行方向の反対方向を向いた複数のエアノズルを使用することを特徴とする気泡コンクリート製パネルの塗装方法。
【請求項２】
少なくとも１本のエアノズルのエア吹出し方向は、気泡コンクリート製パネルの進行方向におけるそのパネル面との迎角が９０度から１２０度となり、少なくとも他の１本のエア吹出し方向が前記気泡コンクリート製パネルの進行方向におけるそのパネル面との迎角が６０度から９０度となるように所定距離離して設置されていることを特徴とする請求項１に記載の気泡コンクリート製パネルの塗装方法。
【請求項３】
エアノズルのエア吹出し口の長手方向と気泡コンクリート製パネルの進行方向とが、１５度から７５度の角度で傾斜しており、前記エアノズルが前記気泡コンクリート製パネルの幅全体にエアを吐出するように配置されていることを特徴とする請求項１または２に記載の気泡コンクリート製パネルの塗装方法。
【請求項４】
気泡コンクリート製パネルの表面とエアノズルのエア吹出し口との距離が５〜３０ｍｍであることを特徴とする請求項１〜３のいずれか１項に記載の気泡コンクリート製パネルの塗装方法。
【請求項５】
エアノズルのエア吹出し風圧が３０ｍ／ｓ以上であることを特徴とする請求項１〜４のいずれか１項に記載の気泡コンクリート製パネルの塗装方法。
【請求項６】
気泡コンクリート製パネルの表面とスプレーガンの先端との距離が１０〜５０ｃｍであり、前記スプレーガンの吹出し圧力が３Ｋｇｆ／ｃｍ2 以上であることを特徴とする請求項１〜５のいずれか１項に記載の気泡コンクリート製パネルの塗装方法。
【請求項７】
少なくとも表面層側に断面がほぼＶ字型をなす溝状化粧目地が穿設されている気泡コンクリート製パネルの表面にスプレーガンにより塗料を吹付けた後、その塗料が硬化する前に、エア吹出し方向が前記気泡コンクリート製パネルの進行方向を向くエアノズルから前記塗料にエアを吹付けて、前記塗料を前記溝状化粧目地の一方の傾斜面に存在するミクロポアへ押し込むとともに、エア吹出し方向が前記気泡コンクリート製パネルの進行方向と反対方向を向くエアノズルから前記塗料にエアを吹付けて、前記塗料を前記溝状化粧目地の他方の傾斜面に存在するミクロポアへ押し込むことを特徴とする気泡コンクリート製パネルの塗装方法。
【手続補正２】
【補正対象書類名】明細書
【補正対象項目名】０００７
【補正方法】変更
【補正の内容】
【０００７】
なお、本発明の気泡コンクリート製パネルの塗装方法においては、少なくとも１本のエアノズルのエア吹出し方向は、気泡コンクリート製パネルの進行方向におけるそのパネル面との迎角が９０度から１２０度となり、少なくとも他の１本のエア吹出し方向が前記気泡コンクリート製パネルの進行方向におけるそのパネル面との迎角が６０度から９０度となるように所定距離離して設置されていること、エアノズルのエア吹出し口の長手方向と気泡コンクリート製パネルの進行方向とが、１５度から７５度の角度で傾斜しており、前記エアノズルが前記気泡コンクリート製パネルの幅全体にエアを吐出するように配置されていること、気泡コンクリート製パネルの表面とエアノズルのエア吹出し口との距離が５〜３０ｍｍであること、エアノズルのエア吹出し風圧が３０ｍ／ｓ以上であること、および気泡コンクリート製パネルの表面とスプレーガンの先端との距離が１０〜５０ｃｍであり、前記スプレーガンの吹出し圧力が３Ｋｇｆ／ｃｍ2 以上であることが望ましい条件であり、これらの条件を適用した場合には一層すぐれた効果を奏する。
さらに、本発明の気泡コンクリート製パネルの塗装方法は、少なくとも表面層側に断面がほぼＶ字型をなす溝状化粧目地が穿設されている気泡コンクリート製パネルの表面にスプレーガンにより塗料を吹付けた後、その塗料が硬化する前に、エア吹出し方向が前記気泡コンクリート製パネルの進行方向を向くエアノズルから前記塗料にエアを吹付けて、前記塗料を前記溝状化粧目地の一方の傾斜面に存在するミクロポアへ押し込むとともに、エア吹出し方向が前記気泡コンクリート製パネルの進行方向と反対方向を向くエアノズルから前記塗料にエアを吹付けて、前記塗料を前記溝状化粧目地の他方の傾斜面に存在するミクロポアへ押し込むことを特徴とする。
【手続補正３】
【補正対象書類名】明細書
【補正対象項目名】００１４
【補正方法】変更
【補正の内容】
【００１４】
この実施例では、図３にしめすように、エアノズル２ａ，２ｂの傾斜角Ｌは等しく、ＡＬＣパネル１の進行方向Ａを基準にして４５度傾いて取付けられている。また、図４に示したように、一方のエアノズル２ａのエア吐出角度Ｍは、ＡＬＣパネル１の進行方向Ａにおけるそのパネル面との迎角が８５度に設定され、他方のエアノズル２ｂのエア吐出角度Ｎは、ＡＬＣパネル１の進行方向Ａにおけるそのパネル面との迎角が１１０度に設定されている。すなわち、一方のエアノズル２ｂのエア吹出し方向は、ＡＬＣパネル１の進行方向Ａ側を向き、他方のエアノズル２ａのエア吹出し方向は、ＡＬＣパネル１の進行方向Ａと反対方向側を向いている。


【手続補正４】
【補正対象書類名】明細書
【補正対象項目名】００１５
【補正方法】変更
【補正の内容】
【００１５】
このエア吹付け工程Ｙにおいて、塗料が硬化する前にエアを吹出すエアノズル２ａ，２ｂは、エア吹出し口の長手方向とＡＬＣパネル１の進行方向Ａとが１５〜７５度の角度を有し、前記ＡＬＣパネル１の幅全体にエアが吐出されるように配置され、ＡＬＣパネル１に対し最初にエアを吹出すエアノズル２ｂは、ＡＬＣパネル１の進行方向Ａにおけるそのパネル面との迎角が９０〜１２０度の角度となるように設置されて、吹出されたエアが塗料を押え並べるように移動するから、図４に示したように、吹出されたエアに対向する溝状化粧目地７の傾斜面５ｂ，６ｂに存在する比較的大きなミクロポア１６へも塗料を押し込むことができ、また吹出されたエアと反対側の傾斜面５ａ、６ａへ塗料を移動させて平均的に付着させることができる。


【手続補正５】
【補正対象書類名】明細書
【補正対象項目名】００１６
【補正方法】変更
【補正の内容】
【００１６】
また、矢印Ａ方向に進行するＡＬＣパネル１に対し、続いてエアを吹出すエアノズル２ａは、ＡＬＣパネル１の進行方向Ａにおけるそのパネル面との迎角が６０〜９０度の角度となるように設置されて、吹出されたエアが塗料を掃くように移動するから、図９、図１０に示したように、吹出されたエアに対向する溝状化粧目地７の傾斜面５ａ，６ａに存在する比較的大きなミクロポア１６へも塗料を押し込むことができるばかりか、吹出されたエアと反対側の傾斜面５ｂ，６ｂへ塗料を移動させて平均的に付着させるとともに、すでにミクロポア１６の中に押し込まれた塗料の上に重ね塗りし、傾斜面全体に存在するミクロポア１６を完全に穴埋めすることができる。